(57)【要約】【課題】連写撮影時に、表示部上の移動体を目で追いにくくなる。【解決手段】撮像装置は、被写体を撮像する撮像素子３と、一回の撮影操作で連続した複数枚の写真撮影を行う連写撮影時にスチル画像を取得するスチルモードと、スルー画像を取得するスルー画モードとを交互に設定する撮像モード設定部（ＣＰＵ）６と、スチルモードおよびスルー画モードのうちの少なくとも一方のモードで撮像された画像に基づいて、スチル画像およびスルー画像とは異なるダミー画像を生成するダミー画像生成部（画像処理部）７と、スルー画像またはダミー画像を表示する表示部（ＬＣＤ）９とを備える。表示部９は、連写撮影時に、スルー画モードに設定されている場合には、スルー画像を表示し、スチルモードに設定されている場合には、ダミー画像を表示する。【選択図】図１
2013118463.tif 000002
【特許請求の範囲】
【請求項１】
被写体を撮像する撮像素子と、
一回の撮影操作で連続した複数枚の写真撮影を行う連写撮影時に、前記撮像素子による撮像によってスチル画像を取得するスチルモードと、前記撮像素子による撮像によってスルー画像を取得するスルー画モードとを交互に設定する撮像モード設定部と、
前記スチルモードおよび前記スルー画モードのうちの少なくとも一方のモードで撮像された画像に基づいて、前記スチル画像および前記スルー画像とは異なるダミー画像を生成するダミー画像生成部と、
前記スルー画像または前記ダミー画像を表示する表示部と、
を備え、
前記表示部は、前記連写撮影時に、前記スルー画モードに設定されている場合には、前記スルー画像を表示し、前記スチルモードに設定されている場合には、前記ダミー画像を表示する、
ことを特徴とする撮像装置。
【請求項２】
前記ダミー画像生成部は、前記スチルモードおよび前記スルー画モードのうちの少なくとも一方のモードで撮像された画像の平均輝度に基づいて、前記ダミー画像を生成する、
ことを特徴とする請求項１に記載の撮像装置。
【請求項３】
前記ダミー画像生成部は、前記スチルモードおよび前記スルー画モードのうちの少なくとも一方のモードで撮像された画像から、前記スチルモードおよび前記スルー画モードのうちの少なくとも一方のモードで撮像された画像の平均輝度に基づいた画像に徐々に変化していく複数の画像を前記ダミー画像として生成する、
ことを特徴とする請求項２に記載の撮像装置。
【請求項４】
前記ダミー画像生成部は、前記スチルモードおよび前記スルー画モードのうちの少なくとも一方のモードで撮像された画像の色信号の平均レベルに基づいて、前記ダミー画像を生成する、
ことを特徴とする請求項１に記載の撮像装置。
【請求項５】
前記ダミー画像生成部は、前記スチルモードおよび前記スルー画モードのうちの少なくとも一方のモードで撮像された画像のうち、最新の画像に基づいて、前記ダミー画像を生成する、
ことを特徴とする請求項１から請求項４のいずれか一項に記載の撮像装置。
【請求項６】
前記ダミー画像生成部は、前記スチルモードおよび前記スルー画モードのうちの少なくとも一方のモードで撮像された複数の画像に基づいて、前記ダミー画像を生成する、
ことを特徴とする請求項１から請求項４のいずれか一項に記載の撮像装置。
【請求項７】
一回の撮影操作で連続した複数枚の写真撮影を行う連写撮影時に、撮像素子による撮像によってスチル画像を取得するスチルモードと、前記撮像素子による撮像によってスルー画像を取得するスルー画モードとを交互に設定するステップと、
前記スチルモードおよび前記スルー画モードのうちの少なくとも一方のモードで撮像された画像に基づいて、前記スチル画像および前記スルー画像とは異なるダミー画像を生成するステップと、
前記連写撮影時に、前記スルー画モードに設定されている場合には、前記スルー画像を表示し、前記スチルモードに設定されている場合には、前記ダミー画像を表示するステップと、
を有することを特徴とする撮像方法。
【発明の詳細な説明】
【技術分野】
【０００１】
本発明は、連写撮影時の画像の表示技術に関する。
【背景技術】
【０００２】
従来、連写撮影動作時に、スルー画を表示部に表示させるデジタルカメラにおいて、スチル画像の取り込み期間中は、スルー画像をフリーズさせて表示させる技術が知られている（特許文献１参照）。
【先行技術文献】
【特許文献】
【０００３】
【特許文献１】特開２００３−２２４７６０号公報
【発明の概要】
【発明が解決しようとする課題】
【０００４】
しかしながら、従来の技術では、移動体を連写撮影した場合、スチル画像の取り込み終了後に再びスルー画像を表示させた際に、移動体の表示位置が大きく変動する場合があるため、表示部に表示される移動体を目で捉えにくくなるという問題があった。
【０００５】
本発明は、連写撮影時に、表示部に表示される移動体を目で捉えやすくする技術を提供することを目的とする。
【課題を解決するための手段】
【０００６】
本発明のある態様に係る撮像装置は、被写体を撮像する撮像素子と、一回の撮影操作で連続した複数枚の写真撮影を行う連写撮影時に、前記撮像素子による撮像によってスチル画像を取得するスチルモードと、前記撮像素子による撮像によってスルー画像を取得するスルー画モードとを交互に設定する撮像モード設定部と、前記スチルモードおよび前記スルー画モードのうちの少なくとも一方のモードで撮像された画像に基づいて、前記スチル画像および前記スルー画像とは異なるダミー画像を生成するダミー画像生成部と、前記スルー画像または前記ダミー画像を表示する表示部と、を備える。前記表示部は、前記連写撮影時に、前記スルー画モードに設定されている場合には、前記スルー画像を表示し、前記スチルモードに設定されている場合には、前記ダミー画像を表示する。
【０００７】
本発明の別の態様に係る撮像方法は、一回の撮影操作で連続した複数枚の写真撮影を行う連写撮影時に、撮像素子による撮像によってスチル画像を取得するスチルモードと、前記撮像素子による撮像によってスルー画像を取得するスルー画モードとを交互に設定するステップと、前記スチルモードおよび前記スルー画モードのうちの少なくとも一方のモードで撮像された画像に基づいて、前記スチル画像および前記スルー画像とは異なるダミー画像を生成するステップと、前記連写撮影時に、前記スルー画モードに設定されている場合には、前記スルー画像を表示し、前記スチルモードに設定されている場合には、前記ダミー画像を表示するステップとを有する。
【発明の効果】
【０００８】
本発明によれば、スチル画像の取得時に、スルー画像およびスチル画像とは異なるダミー画像を生成して表示するので、スチルモードからスルー画モードへの切り替えの際でも、少なくともユーザの脳内では、表示部に表示される移動体の連続性が失われることがなく、移動体を捉えやすくなる。
【図面の簡単な説明】
【０００９】
【図１】図１は、一実施の形態における撮像装置であるデジタルカメラの構成を示すブロック図である。
【図２】図２は、一実施の形態における撮像装置であるデジタルカメラによって行われる、連写モード設定時の処理内容を示すフローチャートである。
【図３】図３は、連写モード設定時のタイムチャートを示す図である。
【図４】図４は、スチルモード設定期間に表示するダミー画像を、全画素の輝度値を同じにした塗りつぶし画像とした場合の表示効果を説明するための図である。
【図５】図５は、スチルモード設定期間に表示するダミー画像を、直前のスルー画モードで撮像された１枚の画像の平均輝度に基づいた画像とした場合の表示効果を説明するための図である。
【図６】図６（ａ）は、連写撮影時のスチルモード設定期間中に、全画素の輝度値を０とした黒塗りのダミー画像をＬＣＤに表示する場合に、ＬＣＤの表示画像の遷移の一例を示す図であり、図６（ｂ）は、連写撮影時のスチルモード設定期間中に、直前のスルー画像を表示し続ける場合に、ＬＣＤの表示画像の遷移の一例を示す図である。
【図７】図７は、連写撮影時のスチルモード設定期間中に、直前に撮像されたスルー画像の平均輝度に基づいた画像をダミー画像として表示する場合に、ＬＣＤの表示画像の遷移の一例を示す図である。
【図８】図８は、連写撮影時のスチルモード設定期間中に、スルー画モード設定時に撮像された複数のスルー画像に基づいて、移動体である車の位置を予測した画像を作成し、作成したダミー画像を表示する場合に、ＬＣＤの表示画像の遷移の一例を示す図である。
【発明を実施するための形態】
【００１０】
図１は、一実施の形態における撮像装置であるデジタルカメラ１００の構成を示すブロック図である。デジタルカメラ１００は、レンズ１と、絞り２と、撮像素子３と、アナログ増幅部４（以下、Ａ―ＡＭＰ４と呼ぶ）と、Ａ／Ｄ変換部５（以下、ＡＤＣ５と呼ぶ）と、ＣＰＵ６と、画像処理部７と、ビデオエンコーダ８と、液晶表示部９（以下、ＬＣＤ９と呼ぶ）と、操作部１０と、ＤＲＡＭ１１と、ＦＬＡＳＨメモリ１２と、バス１３とを備える。
【００１１】
レンズ１は、被写体の光学像を撮像素子３に集光させる。レンズ１は、単焦点レンズであってもよいし、ズームレンズであってもよい。
【００１２】
絞り２は、ＣＰＵ６からの指令に基づいて、撮像素子３に到達する光束の通過範囲を規定する。
【００１３】
撮像素子３は、各画素を構成するフォトダイオードの前面に、ベイヤー配列のカラーフィルタが配置された撮像素子である。この撮像素子３は、レンズ１により集光された光を、画素を構成するフォトダイオードで受光して光電変換することで、光の量を電荷量としてＡ−ＡＭＰ４へ出力する。撮像素子３は、ＣＭＯＳ方式のものでもＣＣＤ方式のものでもよい。また、ベイヤー配列以外のカラー撮像素子を用いてもよい。
【００１４】
Ａ−ＡＭＰ４は、撮像素子３から出力された電気信号（アナログ画像信号）に対し、リセットノイズ等を低減した上で波形整形を行い、さらに目的の明るさとなるように、ゲインアップを行う。
【００１５】
ＡＤＣ５は、Ａ−ＡＭＰ４から出力されたアナログの画像信号をデジタル画像信号（以後、画像データという）に変換する。
【００１６】
バス１３は、デジタルカメラ内部で発生した各種データをデジタルカメラ内の各部に転送するための転送路である。バス１３は、ＡＤＣ５と、ＣＰＵ６と、画像処理部７と、ビデオエンコーダ８と、ＤＲＡＭ１１と、ＦＬＡＳＨメモリ１２に接続されている。
【００１７】
ＡＤＣ５から出力される画像データは、バス１３を介して一旦ＤＲＡＭ１１に記憶される。ＤＲＡＭ１１は、ＡＤＣ５において得られた画像データや、画像処理部７等において処理された画像データ等の各種データが一時的に記憶される記憶部である。
【００１８】
画像処理部（ダミー画像生成部とも呼ぶ）７は、ＤＲＡＭ１１から読み出した画像データに対して、オプティカルブラック減算処理、ホワイトバランス補正処理、同時化処理、ガンマ補正処理、および、色再現処理などの様々な画像処理を施す。画像処理部７は、また、後述するダミー画像を生成する。
【００１９】
ＣＰＵ（撮像モード設定部とも呼ぶ）６は、撮像装置１００内の各部を統合的に制御する。特に、ＣＰＵ６は、連写撮影時に、スチル画像を取得するスチルモードと、スルー画像（ライブビュー画像）を取得するスルー画モードとを交互に設定する。
【００２０】
ビデオエンコーダ８は、ＤＲＡＭ１１やＦＬＡＳＨメモリ１２に記憶されている画像データを読み出して、ビデオ信号等に変換し、ＬＣＤ（表示部）９に出力する。なお、変換したビデオ信号は、テレビなどの外部の表示装置に出力することもできる。
【００２１】
操作部１０は、電源ボタン、レリーズボタン、各種入力キー等の操作部材である。ユーザによって、操作部１０の何れかの操作部材が操作されることにより、ＣＰＵ６は、ユーザの操作に応じた各種シーケンスを実行する。電源ボタンは、当該デジタルカメラの電源のオン／オフ指示を行うための操作部材である。電源ボタンが押されたときに、ＣＰＵ６は、当該デジタルカメラの電源をオン又はオフする。レリーズボタンは、ファーストレリーズスイッチとセカンドレリーズスイッチの２段スイッチを有して構成されている。レリーズボタンが半押しされて、ファーストレリーズスイッチがオンされた場合に、ＣＰＵ６は、ＡＥ処理やＡＦ処理等の撮影準備シーケンスを行う。また、レリーズボタンが全押しされて、セカンドレリーズスイッチがオンされた場合に、ＣＰＵ６は、撮影シーケンスを実行して撮影を行う。
【００２２】
ＦＬＡＳＨメモリ１２は、ホワイトバランスモードに応じたホワイトバランスゲインやローパスフィルタ係数等のデジタルカメラの動作に必要な各種パラメータ、および、デジタルスチルカメラを特定するための製造番号などを記憶している。また、ＦＬＡＳＨメモリ１２は、ＣＰＵ６にて実行する各種プログラムも記憶している。ＣＰＵ６は、ＦＬＡＳＨメモリ１２に記憶されているプログラムに従い、またＦＬＡＳＨメモリ１２から各種シーケンスに必要なパラメータを読み込み、各処理を実行する。さらに、ＦＬＡＳＨメモリ１２は、撮影により得られた静止画像および動画像を記録する。
【００２３】
なお、ＦＬＡＳＨメモリ１２は、デジタルカメラ１００の本体に内蔵されているメモリであるが、デジタルカメラ１００の本体に着脱可能なメモリカードにより代用してもよい。
【００２４】
デジタルカメラ１００は、一回の撮影操作で一枚の写真撮影を行う通常撮影モードと、一回の撮影操作で連続した複数枚の写真撮影を行う連写モードとを設定可能である。ユーザは、操作部１０を操作することによって、デジタルカメラ１００を通常撮影モードまたは連写モードに設定することができる。
【００２５】
図２は、一実施の形態における撮像装置であるデジタルカメラ１００によって行われる、連写モード設定時の処理内容を示すフローチャートである。ステップＳ１０から始まる処理は、主にＣＰＵ６によって行われる。
【００２６】
ステップＳ１０では、電源がオフの状態から、電源釦が押下されたか否かを判定する。ユーザによって電源釦が押下されると、デジタルカメラ１００は起動する。電源釦が押されたと判定すると、ステップＳ２０に進む。
【００２７】
ステップＳ２０では、デジタルカメラ１００をスルー画モードに設定する。
【００２８】
ステップＳ３０では、スルー画像の撮像を行う。
【００２９】
ステップＳ４０では、ステップＳ３０で撮像されたスルー画像をＬＣＤ９に表示させる。
【００３０】
ステップＳ５０では、ユーザによって再び電源釦が押下されたか否かを判定する。電源釦が再び押下されたと判定すると、デジタルカメラ１００の電源をオフにして全ての処理を終了する。一方、電源釦が押下されていないと判定すると、ステップＳ６０に進む。
【００３１】
ステップＳ６０では、レリーズ釦が押下されたか否かを判定する。レリーズ釦が押下されていないと判定すると、ステップＳ２０に戻ってスルー画像の撮像・表示を継続して行い、レリーズ釦が押下されたと判定すると、ステップＳ７０に進む。
【００３２】
ステップＳ７０では、デジタルカメラ１００をスチルモードに設定する。
【００３３】
ステップＳ８０では、連写撮影のために、スチル画像の撮像を開始する。
【００３４】
ステップＳ９０において、画像処理部７は、ステップＳ３０で撮像されたスルー画像およびステップＳ８０で撮像されたスチル画像とは異なるダミー画像を生成する。
【００３５】
一実施の形態における撮像装置では、連写撮影中に、スチルモードとスルー画モードとを交互に切り替え、スルー画モード設定時には、スルー画像をＬＣＤ９に表示させ、スチルモード設定時には、スルー画像を取得できないために、ダミー画像をＬＣＤ９に表示させる。
【００３６】
ダミー画像は、例えば、全画素の輝度値を０とした黒塗りの画像である。また、スチルモードおよびスルー画モードのうちの少なくとも一方のモードで撮像された少なくとも１枚の画像に基づいて、ダミー画像を生成してもよい。例えば、直前のスチルモードおよび直前のスルー画モードのうちの少なくとも一方のモードで撮像された少なくとも１枚の画像の平均輝度を求め、求めた平均輝度に基づいた画像（例えば、グレー一色の画像）をダミー画像とすることができる。直前のスルー画モードで撮像されたスルー画像を用いてダミー画像を生成する場合には、撮像時間が最も新しい最新の画像を用いることが好ましい。
【００３７】
また、スチルモードおよびスルー画モードのうちの少なくとも一方のモードで撮像された複数の画像に基づいて、スチルモード設定時に撮像されたと仮定した場合の画像を生成し、生成した画像をダミー画像としてもよい。例えば、移動体を被写体として時系列に撮像された複数の画像に基づいて、スチルモード設定時に撮像されたと仮定した場合の移動体の位置を予測した画像を生成する。このような画像の生成は、既知の方法を用いることができる。
【００３８】
さらに、スチルモードおよびスルー画モードのうちの少なくとも一方のモードで撮像された画像の色信号（Ｒ信号、Ｇ信号、Ｂ信号、または、Ｃｂ信号、Ｃｒ信号等）の平均レベルに基づいて、ダミー画像を生成してもよい。
【００３９】
ステップＳ１００では、ステップＳ９０で生成したダミー画像をＬＣＤ９に表示させる。
【００４０】
ステップＳ１１０では、スチル画像の撮像が完了したか否かを判定する。スチル画像の撮像が完了していないと判定すると、ステップＳ９０に戻り、ダミー画像の生成および表示を継続して行う。一方、スチル画像の撮像が完了したと判定すると、ステップＳ１２０に進む。
【００４１】
ステップＳ１２０では、撮像により得られたスチル画像をＦＬＡＳＨメモリ１２に記録させる。
【００４２】
ステップＳ１３０では、デジタルカメラ１００をスルー画モードに設定する。
【００４３】
ステップＳ１４０では、スルー画像の撮像を行う。
【００４４】
ステップＳ１５０では、ステップＳ１４０で撮像したスルー画像をＬＣＤ９に表示させる。
【００４５】
ステップＳ１６０では、スルー画モード設定中のスルー画像の撮像枚数が予定枚数に到達したか否かを判定する。スルー画モード設定時に撮像するスルー画像の枚数は予め設定されている。スルー画モード設定中のスルー画像の撮像枚数が予定枚数に到達していないと判定すると、ステップＳ１３０に戻り、スルー画像の撮像・表示を再度行う。一方、スルー画像の枚数が予定枚数に到達したと判定すると、ステップＳ６０に戻る。
【００４６】
図３は、連写モード設定時のタイムチャートを示す図である。上述したように、連写モード設定時は、スチルモードとスルー画モードの設定を交互に切り替える。スチルモード設定時には、スチル画像の撮像、および、撮像により得られたスチル画像の画像処理を行う。
【００４７】
スルー画モード設定時には、動画撮影並のレートでスルー画像の撮像、および、撮像により得られたスルー画像の画像処理を行う。図３に示す例では、スルー画モード設定時のスルー画像の撮像枚数を６枚としている。スルー画像の画像処理は、画像取得と平行して行ってもよいし、画像取得後に行ってもよい。図３に示す例では、画像取得と平行して、スルー画像の画像処理を行っている。
【００４８】
図３に示す例では、画像処理部７は、スルー画モード設定時に最後に撮像されたスルー画像を用いてダミー画像を生成する。例えば、スルー画モード設定時に、図３に示すＴ０〜Ｔ５の６枚のスルー画像を撮像した場合、画像処理部７は、最後に撮像したスルー画像Ｔ５を用いてダミー画像Ｄ０を生成する。例えば、スルー画像Ｔ５の平均輝度を求め、求めた平均輝度を有するグレー一色の画像をダミー画像として生成する。
【００４９】
スチルモード設定時には、画像処理部７で生成されたダミー画像が順次ＬＣＤ９に表示される。
【００５０】
図３に示す例では、スルー画像Ｔ０〜Ｔ５を撮像した後のスチルモード設定時に、ダミー画像Ｄ０〜Ｄ７を生成している。これらのダミー画像Ｄ０〜Ｄ７は、全て同じ画像でもよいし、異なる画像でもよい。ダミー画像Ｄ０〜Ｄ７を全て同じ画像とする場合には、ダミー画像Ｄ０を生成すると、ダミー画像Ｄ１〜Ｄ７の生成処理は行わずに、ダミー画像Ｄ０を８回繰り返してＬＣＤ９に表示する処理を行う。
【００５１】
全て異なるダミー画像Ｄ０〜Ｄ７を生成する場合、画像処理部７は、例えば、スルー画像Ｔ５から、スルー画像Ｔ５の平均輝度を有するグレー一色の画像に徐々に変化していく複数の画像をダミー画像Ｄ０〜Ｄ７として生成することができる。この場合、ダミー画像Ｄ７がスルー画像Ｔ５の平均輝度を有するグレー一色の画像となる。
【００５２】
なお、最初のスチルモード設定時には、直前のスルー画像が存在しないので、直前のスルー画像を用いたダミー画像の生成はできない。従って、最初にスルー画像を表示するまでの間は、予め用意した画像（例えば、全画素の輝度値を０とした黒塗りの画像）をＬＣＤ９に表示する。
【００５３】
図４は、スチルモード設定期間に表示するダミー画像を、全画素の輝度値を同じにした塗りつぶし画像とした場合の表示効果を説明するための図である。ここでは、等速に移動している移動体を連写撮影したものとする。図４（ａ）は、等速で移動する移動体の位置の時間変化を示す図、図４（ｂ）は、スチルモード設定時にダミー画像を表示した場合の移動体の位置の時間変化を示す図、図４（ｃ）は、スチルモード設定時に直前のスルー画像を表示し続ける従来技術において、移動体の位置の時間変化を示す図である。
【００５４】
図４（ｂ）において、実線は、スルー画像で表示される移動体の軌跡であり、点線は、スチルモード設定時に、ユーザが脳内で予測する移動体の軌跡の一例を示す図である。移動体が特定の方向に移動している場合、ＬＣＤ９上で移動体が消失しても、一般的に、ユーザは、それまでの移動体の軌跡に基づいて、脳内で移動体の動き予測を行う。従って、スチルモード設定時に移動体がＬＣＤ９上に表示されず、全画素の輝度値を同じにした塗りつぶし画像が表示される場合、それまでに表示されているスルー画像中の移動体の軌跡に基づいて、ユーザの脳内では、移動体の動き予測が行われる。これにより、スチルモードからスルー画モードに切り替わった際に、スルー画像中の移動体の位置は、脳内で予測していた移動体の位置からは大きく変化しない。このため、ユーザは、連写撮影時に、ＬＣＤ９上で移動体の動きを捉えやすい。
【００５５】
一方、従来技術では、図４（ｃ）に示すように、スチル画像の取り込み期間中は、直前に表示したスルー画をそのまま表示する。従って、スチルモード期間中は、ＬＣＤ９上で移動体の位置は変わらないため、スルー画モードに切り替わった際に、ＬＣＤ９上に表示される移動体の位置は急激に変化することになる。このため、ユーザは、連写撮影時に、スチルモードからスルー画モードに切り替わった際に、ＬＣＤ９上で被写体の動きを捉えるのが難しくなる。
【００５６】
図５は、スチルモード設定期間に表示するダミー画像を、直前のスルー画モードで撮像された１枚の画像の平均輝度に基づいた画像とした場合の表示効果を説明するための図である。図５（ａ）は、移動体を撮像したスルー画像をＬＣＤ９に表示し続けた場合のスルー画像の平均輝度の時間変化を示す図、図５（ｂ）は、スチルモード設定時に、直前のスルー画モードで撮像された１枚の画像の平均輝度に基づいたダミー画像を表示した場合に、ＬＣＤ９に表示される画像の平均輝度の時間変化を示す図、図５（ｃ）は、スチルモード設定時に、全画素の輝度値を０とした黒塗りのダミー画像を表示した場合に、ＬＣＤ９に表示される画像の平均輝度の時間変化を示す図である。図５（ｂ）の期間Ｔａ、Ｔｂ、Ｔｃ、および、図５（ｃ）の期間Ｔｄ、Ｔｅ、Ｔｆはそれぞれ、スチルモード設定期間である。
【００５７】
全画素の輝度値を０とした黒塗りの画像をダミー画像とした場合、スチルモード設定時にＬＣＤ９に表示される画像の平均輝度は０となる。従って、スルー画モードからスチルモードに切り替わった場合、および、スチルモードからスルー画モードに切り替わった場合、図５（ｃ）に示すように、ＬＣＤ９に表示される画像の輝度変化が大きくなる。
【００５８】
一方、直前のスルー画モードで撮像された１枚の画像の平均輝度に基づいた画像をダミー画像とした場合、図５（ｂ）に示すように、スルー画モードからスチルモードに切り替わった場合に、ＬＣＤ９に表示される画像の平均輝度は変化しない。また、スチルモードからスルー画モードに切り替わった場合も、ＬＣＤ９に表示される画像の平均輝度はそれほど大きく変化しない。従って、連写撮影時に、輝度変化の少ない画像を表示させることができるので、ユーザの目に対する負担を小さくすることができる。
【００５９】
図６（ａ）は、連写撮影時のスチルモード設定期間中に、全画素の輝度値を０とした黒塗りのダミー画像をＬＣＤ９に表示する場合に、ＬＣＤ９の表示画像の遷移の一例を示す図である。また、図６（ｂ）は、連写撮影時のスチルモード設定期間中に、直前のスルー画像をフリーズして表示し続ける場合に、ＬＣＤ９の表示画像の遷移の一例を示す図である。図６（ａ）、（ｂ）では、移動する車を撮影し続けた場合の７枚の画像をそれぞれ示している。ただし、図６（ａ）の画像６１〜６３および画像６６〜６７、および、図６（ｂ）の画像７１〜７３および画像７６〜７７は、スルー画モード設定時の表示画像であり、図６（ａ）の画像６４〜６５、および、図６（ｂ）の画像７４〜７５は、スチルモード設定時の表示画像である。
【００６０】
スチルモード設定期間に、全画素の輝度値を０とした黒塗りのダミー画像を表示した場合、ユーザは、それまでに表示されていたスルー画像中の車の移動軌跡に基づいて、脳内で移動する車の動き予測を行う。図６（ａ）では、理解を容易にするために、画像６１〜６７中に、移動体である車の軌跡を点線で示すとともに、ダミー画像６４、６５上に、ユーザの脳内で予測される車の位置を白色で表している。ただし、実際のダミー画像は、全画素の輝度値は０であるため、車は表示されない。
【００６１】
図６（ａ）に示すように、スチルモード設定期間に、全画素の輝度値を０とした黒塗りのダミー画像を表示することにより、スチルモードからスルー画モードに切り替わった際、すなわち、ＬＣＤ９の表示画像が画像６５から画像６６に切り替わった際に、スルー画６６の車の位置は、ユーザが脳内で予測している車の位置に近い位置にあるため、ユーザは、移動体である車を捉えやすい。
【００６２】
一方、スチルモード設定期間に、直前のスルー画像を表示し続ける従来技術の場合、図６（ｂ）に示すように、スチルモード設定期間に表示される画像７４および画像７５中の車の位置は、直前のスルー画像７３中の車の位置と同じ位置となる。この場合、スチルモードからスルー画モードに切り替わった際、すなわち、ＬＣＤ９の表示画像が画像７５から画像７６に切り替わった際に、ユーザは、動体予測により、それまでの画像７３、７４、７５中の車の位置から、画像７６中の７６ａの位置を車の予測位置とする。しかし、車は移動しているため、ユーザが予測する位置７６ａは、実際の位置７６ｂと大きく離れてしまう。このため、ユーザは、スチルモードからスルー画モードへの切り替え時に、移動体である車を捉えにくくなる。
【００６３】
図７は、連写撮影時のスチルモード設定期間中に、直前に撮像されたスルー画像の平均輝度に基づいた画像（例えば、グレー一色の画像）をダミー画像としてＬＣＤ９に表示する場合に、ＬＣＤ９の表示画像の遷移の一例を示す図である。図７では、図６と同様に、移動する車を撮影し続けた場合の７枚の画像８１〜８７を示している。ただし、図７において、画像８１〜８３および画像８６〜８７は、スルー画モード設定時の表示画像であり、画像８４〜８５は、スチルモード設定時の表示画像である。
【００６４】
スチルモード設定期間に、直前に撮像されたスルー画像の平均輝度に基づいた画像をダミー画像として表示した場合、ユーザは、それまでに表示されていたスルー画像中の車の移動軌跡に基づいて、脳内で移動する車の動き予測を行う。図７では、理解を容易にするために、画像８１〜８７中に、移動体である車の軌跡を点線で示すとともに、ダミー画像８４、８５上に、ユーザの脳内で予測される車の位置を示している。ただし、実際のダミー画像には、車は表示されない。これにより、スチルモードからスルー画モードに切り替わった際、すなわち、ＬＣＤ９の表示画像が画像８５から画像８６に切り替わった際に、スルー画像８６の車の位置は、ユーザが脳内で予測している車の位置に近い位置にあるため、ユーザは、移動体である車を捉えやすい。
【００６５】
図８は、連写撮影時のスチルモード設定期間中に、スルー画モード設定時に撮像された複数のスルー画像に基づいて、移動体である車の位置を予測した画像を作成し、作成したダミー画像をＬＣＤ９に表示する場合に、ＬＣＤ９の表示画像の遷移の一例を示す図である。図８では、図６、図７と同様に、移動する車を撮影し続けた場合の７枚の画像９１〜９７を示している。ただし、図８では、画像９１〜９３および画像９６〜９７は、スルー画モード設定時の表示画像であり、画像９４〜９５は、スチルモード設定時の表示画像である。また、理解を容易にするために、画像９１〜９７中に、移動体である車の軌跡を点線で示している。
【００６６】
画像処理部７は、スルー画モード設定時に撮像された複数のスルー画像（例えば、スルー画像９１〜９３）に基づいて、移動体である車の位置を予測したダミー画像９４、９５を生成する。スチルモード設定期間中に、移動体である車の位置を予測したダミー画像９４、９５を生成して表示する方法によれば、スチルモードからスルー画モードに切り替わった際に、ＬＣＤ９に表示される画像の輝度や、移動体である車の位置が大きく変化することはない。すなわち、ユーザは、違和感なく、ＬＣＤ９に表示される画像を視認することができる。
【００６７】
以上、一実施の形態における撮像装置によれば、一回の撮影操作で連続した複数枚の写真撮影を行う連写撮影時に、スチル画像を取得するスチルモードとスルー画像を取得するスルー画モードとを交互に設定し、スルー画モード設定時には、スルー画像をＬＣＤ９に表示し、スチルモード設定時には、スチルモードおよびスルー画モードのうちの少なくとも一方のモードで撮像された画像に基づいて、スチル画像およびスルー画像とは異なるダミー画像を生成してＬＣＤ９に表示する。これにより、スチルモードからスルー画モードへの切り替えの際でも、少なくともユーザの脳内では、表示部に表示される移動体の連続性が失われることがなく、移動体を捉えやすくなる。
【００６８】
また、スチルモードおよびスルー画モードのうちの少なくとも一方のモードで撮像された画像の平均輝度に基づいて、ダミー画像を生成することにより、スルー画モードからスチルモードへの切り替え時でも、輝度変化の少ない画像表示を実現することができる。
【００６９】
一実施の形態における撮像装置では、スチルモードおよびスルー画モードのうちの少なくとも一方のモードで撮像された画像から、一方のモードで撮像された画像の平均輝度に基づいた画像に徐々に変化していく複数の画像をダミー画像として生成することもできる。この方法によれば、ＬＣＤ９に表示される画像が滑らかに変化するので、表示画像を視認する際の違和感を低減させることができる。
【００７０】
一実施の形態における撮像装置では、スチルモードおよびスルー画モードのうちの少なくとも一方のモードで撮像された画像の色信号の平均レベルに基づいて、ダミー画像を生成することもできる。この方法によれば、色変化の少ない画像表示を実現することができる。
【００７１】
一実施の形態における撮像装置では、スチルモードおよびスルー画モードのうちの少なくとも一方のモードで撮像された画像のうち、最新の画像に基づいてダミー画像を生成することもできる。この方法によれば、スルー画モードからスチルモードへの切り替え時に、表示画像の変化を小さくすることができる。
【００７２】
一実施の形態における撮像装置では、スチルモードおよびスルー画モードのうちの少なくとも一方のモードで撮像された複数の画像に基づいて、ダミー画像を生成することもできる。この方法によれば、例えば、複数のスルー画像に基づいて、スチルモード期間中に撮像されたと仮定した場合の画像をダミー画像として生成することができるので、スチルモード設定時に、より違和感の無い画像を表示することができる。
【００７３】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。
【００７４】
上述したように、ダミー画像は、スチルモードおよびスルー画モードのうちの少なくとも一方のモードで撮像された少なくとも１枚の画像に基づいて生成することができる。従って、スチルモードで撮像されたスチル画像に基づいてダミー画像を生成することもできるし、スチルモードで撮像されたスチル画像およびスルー画モードで撮像されたスルー画像の両方に基づいてダミー画像を生成することもできる。
【００７５】
上述した一実施の形態では、撮像装置の一例としてデジタルカメラを挙げて説明したが、連写撮影機能を有するカメラであれば、ビデオカメラやムービーカメラでもよく、さらに、携帯電話や携帯情報端末（ＰＤＡ：Personal Digital Assist）、ゲーム機器等に内蔵されるカメラでもよい。
【符号の説明】
【００７６】
１…撮像素子
６…ＣＰＵ
７…画像処理部
９…ＬＣＤ
【図１】
2013118463.tif 000003
【図２】
2013118463.tif 000004
【図３】
2013118463.tif 000005
【図４】
2013118463.tif 000006
【図５】
2013118463.tif 000007
【図６】
2013118463.tif 000008
【図７】
2013118463.tif 000009
【図８】
2013118463.tif 000010